(57)【要約】【課題】  本発明は写真印刷自動販売機等に使用される印刷装置に関し、特に印刷しようとする画像データを解析し、印刷用紙に対して分割プリントを行うことで、印字品質の優れた画像を確保するものである。【解決手段】  本発明は画像データ入力部１３から入力するデータサイズが異なる画像データをＲＡＭ１２に保存し、ＣＰＵ１０の制御に従ってデータサイズを解析し、データサイズの相違によって区分けを行い、例えば小サイズの画像データのみを１枚の印刷用紙に分割印刷する。このように構成することにより、綺麗で印字品質の優れた印刷を行うことが可能となり、利用者に煩雑な画像選択作業を行わせることがない。また、画像データはサイズが異なる場合であってもよく、また画像圧縮率が異なる場合であっても、同様に区分け処理を行い、綺麗で印字品質の優れた印刷を行うことができる。さらに、写真印刷自動販売機等の利用者の操作負担を軽減するものである。【選択図】  図２
2006035548.tif 000002
【特許請求の範囲】
【請求項１】
外部から入力したデータサイズの異なる画像データを複数格納する記憶手段と、
該記憶手段に格納された画像データに対し、データサイズ毎に画像データを分類する手段と、
分類された画像データを１枚の用紙に配置し、印刷する印刷手段と、
を有することを特徴とする印刷装置。
【請求項２】
外部から入力した画像サイズの異なる画像データを複数格納する記憶手段と、
該記憶手段に格納された画像データに対し、画像サイズ毎に画像データを分類する手段と、
分類された画像データを１枚の用紙に配置し、印刷する印刷手段と、
を有することを特徴とする印刷装置。
【請求項３】
外部から入力した圧縮率の異なる画像データを複数格納する記憶手段と、
該記憶手段に格納された画像データに対し、圧縮率毎に画像データを分類する手段と、
分類された画像データを１枚の用紙に配置し、印刷する印刷手段と、
を有することを特徴とする印刷装置。
【請求項４】
写真印刷自動販売機に内蔵される前記記憶手段には、前記写真印刷自動販売機に装着された記録媒体から読み出された複数の画像データが格納されることを特徴とする請求項１、２、又は３記載の印刷装置。
【発明の詳細な説明】
【技術分野】
【０００１】
本発明は、写真印刷自動販売機等に使用される印刷装置に関する。
【背景技術】
【０００２】
デジタルカメラの普及と共に画像データをプリントする装置として、写真印刷自動販売機が普及している。写真印刷自動販売機は、画像データが記録された記録媒体をメディア挿入口に挿入し、例えば印刷する画像、枚数、印刷サイズなどを選択し、印刷を指示することによって印刷物取出口に印刷出力を行うものである。
【０００３】
上記装置では、１枚の用紙に１画像を印刷する場合と複数の画像を印刷する場合がある。特に後者の分割印刷は、インデックスプリントやユーザが選択した複数の画像を１枚の用紙に分割印刷するものである。
【０００４】
尚、特許文献１は趣向に富んだマルチプリント写真を提供する発明であり、１枚のプリントシート上に、１個の主プリントコマの画像と、５個の副プリントコマの画像とを配置し、主プリントコマの画像はプリントサイズを大きくし、副プリントコマの画像を主プリントコマの画像の前、前後、又は後に撮影された一連のコマとして周りに並べ、１枚の写真から細部の観察や、時間経過に従った変化が容易に分かるようにする発明である。
【０００５】
また、特許文献２は写真印刷自動販売機において、ＤＰＯＦ（Digital Print Order Format）情報を利用してパノラマ撮影印刷の指定、マルチイメージ印刷の指定等を行い、利用者が行う操作パネルの煩雑な操作を無くし、利用者の使い勝手をよくする発明である。
【特許文献１】特開２０００−１４７６８５号公報
【特許文献２】特開２００２−９２７３２号公報
【発明の開示】
【発明が解決しようとする課題】
【０００６】
しかしながら、従来の分割印刷において、ユーザ自身が対象画像を選択する場合、選択に時間と手間がかかる。さらに、従来の分割印刷では画像データのサイズ等は考慮に入れず、記録媒体に記録された画像を順番通りに強制的に用紙１枚に印刷する。この為、データサイズに関係なく、例えばＬ版サイズの用紙に印刷が行われ、特に小サイズの画像データの場合には粗く品質の悪い印刷結果となる。
【０００７】
また、特許文献１の発明は主プリントコマの画像の周りに副プリントコマの画像を配置し、細部の観察等を容易にする構成であり、利用者の画像選択を容易にするものではない。また、特許文献２の発明もＤＰＯＦ情報を使用するものであり、ＤＰＯＦ情報を使用しない場合には対応できない。
【０００８】
そこで、本発明は印刷しようとする画像データを解析し、自動的に印刷用紙に対して分割プリントを行うことで、利用者の煩雑な選択作業を軽減し、且つ印字品質の優れた画像を生成するものである。また、データサイズ等の条件に対応して１枚の用紙に複数画像を分割印字することで綺麗で整理された印刷出力を行うものである。
【課題を解決するための手段】
【０００９】
上記課題は本発明によれば、外部から入力したデータサイズの異なる画像データを複数格納する記憶手段と、該記憶手段に格納された画像データに対し、データサイズ毎に画像データを分類する手段と、分類された画像データを１枚の用紙に配置し、印刷する印刷手段とを有する印刷装置を提供することによって達成できる。
【００１０】
このように構成することにより、例えば小サイズの画像データが無理に拡大されて印刷されることがなく、印字品質の優れた画像を提供することができる。また、利用者の煩雑な画像選択作業を軽減することができる。
【００１１】
また、上記課題は本発明によれば、外部から入力した画像サイズの異なる画像データを複数格納する記憶手段と、該記憶手段に格納された画像データに対し、画像サイズ毎に画像データを分類する手段と、分類された画像データを１枚の用紙に配置し、印刷する印刷手段とを有する印刷装置を提供することによって達成できる。
【００１２】
このように構成することにより、画像サイズに対応した分割印刷を行うことができ、印字品質の優れた画像を提供すると共に、利用者の煩雑な画像選択作業を軽減する。
また、上記課題は本発明によれば、外部から入力した圧縮率の異なる画像データを複数格納する記憶手段と、該記憶手段に格納された画像データに対し、圧縮率毎に画像データを分類する手段と、分類された画像データを１枚の用紙に配置し、印刷する印刷手段とを有する印刷装置を提供することによって達成できる。
【００１３】
このように構成することにより、画像圧縮率に対応した分割印刷を行うことができ、印字品質の優れた画像を提供すると共に、利用者の煩雑な画像選択作業を軽減する。
また、写真印刷自動販売機に内蔵される前記記憶手段には、前記写真印刷自動販売機に装着された記録媒体から読み出された複数の画像データが格納される構成である。
【００１４】
このように構成することにより、本発明の印刷装置は写真印刷自動販売機に内蔵された構成となり、デジタルカメラ等で撮影した画像データが保存された記録媒体を写真印刷自動販売機に装着することによって、例えばサイズの異なる複数の画像を綺麗に配列して１枚の用紙に印刷出力することができ、各画像の印字品質も優れた印刷出力を行うことができる。
【発明の効果】
【００１５】
本発明によれば、データサイズや画像サイズ、画像圧縮率の異なる複数の画像データであっても、対応する画像を自動的に分類し、綺麗で印字品質の優れた印刷出力を行うことができる。
【００１６】
また、利用者は対象画像の選択を行う必要がなく、例えば小さなサイズの画像は１枚の用紙に分割印刷され、利用者の煩雑な画像選択作業を軽減することができる。
【発明を実施するための最良の形態】
【００１７】
以下、本発明の実施の形態を図面を参照しながら説明する。
（実施形態１）
先ず、本発明の実施形態１に使用する印刷装置としての写真印刷自動販売機の構成を説明する。
【００１８】
図１は、写真印刷自動販売機の正面構成を示す図である。同図に示す写真印刷自動販売機１は、街角や小売店、スーパー、写真店、観光地の店舗、テーマパーク、映画館、オフィスビルの建物内等に設置されている。
【００１９】
写真印刷自動販売機１の正面には、表示／操作部（ディスプレイ＆タッチパネル）２、メディア挿入口３、料金挿入口４、返却口５、レシート受取口６、及び印刷物取出口７が設けられている。
【００２０】
表示／操作部（ディスプレイ＆タッチパネル）２は、例えば液晶ディスプレイと、液晶ディスプレイに表示されるキーや、ボタン、アイコン等を選択する不図示の操作部で構成されている。表示／操作部（ディスプレイ＆タッチパネル）２には、例えばデジタルカメラ等で撮影した画像情報が、サムネイル表示される。
【００２１】
また、表示／操作部（ディスプレイ＆タッチパネル）２の上記表示に従って、例えばユーザは後述する選択操作を行い、また印刷枚数の指定操作を行う。メディア挿入口３は、デジタル画像情報や映像情報を記録するコンパクトフラッシュ（登録商標）カードやスマートメディア、ＳＤカード、メモリースティック、フロッピィディスク、ＰＣカード、光磁気ディスク、コンパクトディスクＲＯＭ（ＣＤ−ＲＯＭ）、コンパクトディスクレコーダブル（ＣＤ−Ｒ）等の記録媒体の挿入口であり、上記記録媒体には例えばデジタルカメラ等で撮影したデジタル画像情報や映像情報が書き込まれている。
【００２２】
上記表示／操作部（ディスプレイ＆タッチパネル）２及びメディア挿入口３の右側には料金挿入口４が設けられ、料金挿入口４には紙幣挿入口４ａと硬貨投入口４ｂが設けられている。また、硬貨投入口４ｂの左側に設けられた返却レバー４ｃを操作することによって釣銭が返却口５に出力される。
【００２３】
印刷物取出口７は印刷出力を取り出すボックスであり、複数枚の印字用紙が出力される。また、この印刷物取出口７には、例えば小型の簡易アルバム等の付加部材も出力される。
【００２４】
図２は上記構成の写真印刷自動販売機１の回路ブロック図である。同図に示すように、写真印刷自動販売機１はＣＰＵ１０を中心として、ＲＯＭ１１、ＲＡＭ１２、画像データ入力部１３、画像データ印刷部１４で構成され、更にＣＰＵ１０には前述の表示／操作部（ディスプレイ＆タッチパネル）２が接続されている。
【００２５】
ＣＰＵ１０はコントローラであり、写真印刷自動販売機１の全体制御を行い、ＲＯＭ１１に記憶された制御プログラムに従って印刷制御を行う。また、ＲＡＭ１２はワークエリアであり、ＣＰＵ１０による印刷処理中の各種データを保存する。
【００２６】
画像データ入力部１３はカードリーダであり、メディアから画像データを入力する入力部であり、前述のメディア挿入口３に挿入された記録媒体から読み出したデジタル画像情報や映像情報をＣＰＵ１０に送る。また、画像データ印刷部１４は後述する処理によって補正、加工された画像データを印刷し、印刷物を前述の印刷物取出口７に出力する。
【００２７】
以上の構成において、以下に本例の処理動作を説明する。
図３は本例の処理を説明するフローチャートである。先ず、利用者が写真印刷自動販売機１に近づき表示／操作部（ディスプレイ＆タッチパネル）２を操作し、メディア挿入口３に持参した記録媒体を挿入すると、前述の画像データ入力部１３は記録媒体に記録された画像データを読み出し、ＣＰＵ１０の制御によって画像データをＲＡＭ１２に格納し、画像データのデータサイズを確認する（ステップ（以下、Ｓで示す）１）。
【００２８】
例えば、図４はＲＡＭ１２に格納された画像データの例であり、画像Ｎｏ.１〜Ｎｏ.１２の１２枚の画像データが格納される。ここで、例えば画像Ｎｏ.１はデータサイズが１３００ＫＢの画像データであり、画像Ｎｏ.２はデータサイズが５０ＫＢの画像データであり、以下同図に示す通りである。したがって、ＣＰＵ１０はＲＡＭ１２に格納された画像Ｎｏ.１〜Ｎｏ.１２のデータサイズを順次確認する。
【００２９】
次に、ＣＰＵ１０はデータサイズに従って各画像を区分けする。すなわち、同図に示す判断１〜３を実行し、データサイズに従って分割サイズを決定する。先ず、判断１においてデータサイズが０〜１５０ＫＢの画像を選択し（Ｓ２）、該当するナンバーの画像を４分割、６分割、９分割の分割サイズとする（Ｓ３）。
【００３０】
尚、図５に示すように、画像データのデータサイズによって予め２分割、４分割、６分割、９分割のようにデータサイズに基づく分割数が設定されている。したがって、この設定に基づいて、上記分割サイズの分類が行われる。
【００３１】
次に、データサイズが１５０ＫＢ以上の場合（Ｓ２がＮＯ）、次の判断２を実行し、データサイズが１５０ＫＢ〜３００ＫＢである画像を選択する（Ｓ４）。そして、該当するナンバーの画像を２分割の分割サイズとする（Ｓ５）。さらに、データサイズが３００ＫＢ以上である場合（Ｓ４がＮＯ）、該当するナンバーの画像を通常Ｌ版サイズとする（Ｓ６）。
【００３２】
上記処理はＲＯＭ１１に記憶されたプログラムに従って実行され、上記処理によって設定された情報は、例えばＲＡＭ１２に記憶される。
次に、画像データ印刷部１４は上記選択に従ってＮｏ.１〜Ｎｏ.１２の画像データを印刷する。この場合、Ｎｏ.１の画像は前述のように１３００ＫＢであり、通常Ｌ版サイズの印刷が行われる。また、Ｎｏ.２の画像は５０ＫＢであり、例えば９分割の印刷が行われる。また、Ｎｏ.３の画像は２５０ＫＢであり、通常Ｌ版サイズの印刷が行われる。
【００３３】
以下、順次選択されたサイズの印刷が行われると、印刷結果は図６に示す通りとなる。すなわち、Ｎｏ.１の画像は通常Ｌ版サイズとして同図（ａ）に示す印刷物として印刷物取出口５に出力され、データサイズが小さい画像であるＮｏ.２、４、７、８、１０、１２の画像は、Ｌ版サイズの用紙に印刷され、出力される（図６（ｂ）参照）。さらに、上記のサイズの中間のデータサイズであるＮｏ.３と１１の画像は１枚のＬ版サイズの用紙に印刷され、出力される（図６（ｃ）参照）。
【００３４】
尚、Ｎｏ.５、６、及び９の画像は、大きなデータサイズをもち、通常Ｌ版サイズとして印刷出力される（同図（ｄ）〜（ｆ）参照）。
以上のように、本例は印刷しようとする画像データを解析し、例えばデータサイズが小さい画像を選び出し、分割印刷することによって、写真画像の画質を確保するものである。すなわち、データサイズの小さい画像を１枚のＬ版サイズの用紙に印刷することによって発生する粗く印字品質の悪い画像生成を回避することができる。また、利用者は画像の選択作業を行う必要がなく、煩雑な作業から利用者を解放することができる。
【００３５】
尚、上記説明ではデータサイズが０〜１５０ＫＢの画像を４分割、６分割、９分割する構成としたが、１２分割や２４分割としてもよい。
（実施形態２）
次に、本発明の実施形態２について説明する。
【００３６】
本例は画像データのピクセルサイズを解析し、ピクセルサイズが小さいものを自動的に選択し分割プリントにすることで、綺麗な画質の印刷物を提供するものである。以下、具体的に説明する。
【００３７】
図７は本例の処理を説明するフローチャートである。先ず、前述と同様利用者が写真印刷自動販売機１に近づき表示／操作部（ディスプレイ＆タッチパネル）２を操作し、メディア挿入口３に持参した記録媒体を挿入すると、ＣＰＵ１０の制御によって画像データをＲＡＭ１２に格納し、画像データのピクセルサイズを確認する（ステップ（以下、ＳＴで示す）１）。
【００３８】
図８はＲＡＭ１２に格納した画像データの例であり、画像Ｎｏ.１〜Ｎｏ.１２の１２枚の画像データが格納され、例えば画像Ｎｏ.１はピクセルサイズが２０４８×１５３６であり、画像Ｎｏ.２はピクセルサイズが６４０×４８０であり、以下同図に示す通りである。ＣＰＵ１０はＲＡＭ１２に格納された画像Ｎｏ.１〜Ｎｏ.１２のピクセルサイズを順次確認する。
【００３９】
次に、ＣＰＵ１０はデータサイズに従って各画像を区分けする。すなわち、同図に示す判断１及び２を実行し、データサイズに従って分割サイズを決定する。先ず、判断１においてピクセルサイズが０×０〜１０２４×７６８の画像を選択し（Ｓ２）、該当する画像を４分割、６分割、９分割の分割サイズとする（ＳＴ３）。
【００４０】
また、ピクセルサイズが０×０〜１０２４×７６８ではない場合（ＳＴ２がＮＯ）、次の判断２を実行し、ピクセルサイズが１０２４×７６８〜２０４８×１５３６の画像を選択する（ＳＴ４）。そして、該当する画像が存在する場合、２分割の分割サイズとする（ＳＴ５）。さらに、ピクセルサイズが２０４８×１５３６以上である場合（ＳＴ４がＮＯ）、該当するナンバーの画像を通常Ｌ版サイズとする（ＳＴ６）。
【００４１】
画像データ印刷部１４は上記選択に従ってＮｏ.１〜Ｎｏ.１２の画像データを印刷する。この場合、Ｎｏ.１の画像のピクセルサイズは前述のように２０４８×１５３６であり、通常Ｌ版サイズの印刷が行われる。また、Ｎｏ.２の画像のピクセルサイズは６８０×４８０であり、例えば９分割の印刷が行われる。以下、順次選択されたピクセルサイズの印刷が行われると、印刷結果は図９に示す通りとなり、Ｎｏ.１の画像は通常Ｌ版サイズとして同図（ａ）に示す印刷物として印刷物取出口５に出力され、ピクセルサイズが小さい画像であるＮｏ.２、４、７、８、１０、１２の画像は、Ｌ版サイズの用紙に印刷され、出力される（図９（ｂ）参照）。さらに、上記のサイズの中間のデータサイズであるＮｏ.３と１１の画像は１枚のＬ版サイズの用紙に印刷され、出力される（図９（ｃ）参照）。
【００４２】
尚、Ｎｏ.５、６、及び９の画像は、大きなピクセルサイズであり、何れも通常Ｌ版サイズとして印刷出力される（同図（ｄ）〜（ｆ）参照）。
以上のように、本例は印刷しようとする画像データを解析し、ピクセルサイズに従って個々の画像を選び出し、分割印刷することによって、写真画像の画質を確保するものである。すなわち、ピクセルサイズの小さい画像を選ぶ際、予め各ピクセルサイズごとに割り振り、自動で分割サイズを選択して印刷物の画質を綺麗に印刷することができる。
【００４３】
尚、上記説明ではピクセルサイズが０×０〜１０２４×７６８の画像を４分割、６分割、９分割としたが、１２分割、２４分割としてもよい。また、６４０×４８０〜２０４８×１５３６の画像を４分割、６分割、９分割とする構成としてもよい。
（実施形態３）
次に、本発明の実施形態３について説明する。
【００４４】
本例は印刷しようとする画像データの画像圧縮率(bit／pixel）を解析し、データの画像圧縮率が小さいものを自動で選び出し分割印刷し、綺麗な画質の印刷物を提供するものである。以下、具体的に説明する。
【００４５】
図１０は本例の処理を説明するフローチャートである。先ず、前述と同様利用者が写真印刷自動販売機１に近づき表示／操作部（ディスプレイ＆タッチパネル）２を操作し、メディア挿入口３に持参した記録媒体を挿入すると、ＣＰＵ１０の制御によって画像データをＲＡＭ１２に格納し、画像データの画像圧縮率を確認する（ステップ（以下、ＳＴＰで示す）１）。
【００４６】
図１１はＲＡＭ１２に格納された画像データの例であり、画像Ｎｏ.１〜Ｎｏ.１２の１２枚の画像データが格納され、例えば画像Ｎｏ.１は圧縮率が４．１の画像であり、画像Ｎｏ.２は圧縮率が１．５６の画像であり、以下同図に示す通りである。ＣＰＵ１０はＲＡＭ１２に格納された画像Ｎｏ.１〜Ｎｏ.１２の画像圧縮率を順次確認する。
【００４７】
次に、ＣＰＵ１０は画像圧縮率に従って各画像を区分けする。すなわち、同図に示す判断１及び２を実行し、画像圧縮率に従って分割サイズを決定する。先ず、判断１において画像圧縮率が１．０〜２．０の画像を選択し（ＳＴＰ２）、該当する画像を４分割、６分割、９分割の分割サイズとする（ＳＴＰ３）。
【００４８】
一方、画像圧縮率が１．０〜２．０ではない場合（ＳＴＰ２がＮＯ）、次の判断２を実行し、画像圧縮率が２．０〜３．０の画像を選択する（ＳＴＰ４）。そして、該当する画像が存在する場合、２分割の分割サイズとする（ＳＴＰ５）。さらに、画像圧縮率が３．０を越える場合（ＳＴＰ４がＮＯ）、該当するナンバーの画像を通常Ｌ版サイズとする（ＳＴＰ６）。
【００４９】
画像データ印刷部１４は上記選択に従ってＮｏ.１〜Ｎｏ.１２の画像データを印刷する。この場合、Ｎｏ.１の画像の画像圧縮率は前述のように４．１であり、通常Ｌ版サイズの印刷が行われる。また、Ｎｏ.２の画像の画像圧縮率は１．５６であり、例えば９分割の印刷が行われる。以下、順次選択された画像圧縮率に対応した印刷が行われ、印刷結果は図１２に示す通りとなる。
【００５０】
すなわち、Ｎｏ.１の画像は通常Ｌ版サイズとして同図（ａ）に示す印刷物として印刷物取出口７に出力され、画像圧縮率が小さい画像であるＮｏ.２、４、７、８、１０、１２の画像は、Ｌ版サイズの用紙に印刷され、出力される（図１２（ｂ）参照）。さらに、上記のサイズの中間のデータサイズであるＮｏ.３と１１の画像は１枚のＬ版サイズの用紙に印刷され、出力される（図１２（ｃ）参照）。
【００５１】
尚、Ｎｏ.５、６、及び９の画像は、大きなピクセルサイズであり、何れも通常Ｌ版サイズとして印刷出力される（同図（ｄ）〜（ｆ）参照）。
以上のように、本例は印刷しようとする画像データを解析し、画像圧縮率に従って個々の画像を選び出し、分割印刷することによって、写真画像の画質を確保するものである。すなわち、画像圧縮率の小さい画像を選ぶ際、予め各分割サイズごとに画像データサイズを割り振り、自動で分割サイズを選択して印刷物の画質を綺麗に印刷することものである。
【００５２】
尚、上記説明では画像圧縮率が１．０〜２．０の場合、画像を４分割、６分割、９分割としたが、１２分割、２４分割としてもよい。また、画像圧縮率が２．０〜３．０の画像を４分割、６分割、９分割とする構成としてもよい。
（実施形態４）
次に、本発明の実施形態４について説明する。
【００５３】
本例は写真印刷自動販売機において、アンケート調査を行い、利用者（ユーザ）の状況を把握するものである。以下、具体的に説明する。
図１３は本例の処理動作を説明するフローチャートである。先ず、利用者が写真印刷自動販売機１に近づき表示／操作部（ディスプレイ＆タッチパネル）２を操作し、メディア挿入口３に持参した記録媒体を挿入すると（ステップ（以下、Ｗで示す）１）、ＣＰＵ１０の制御によって表示／操作部（ディスプレイ＆タッチパネル）２にメニューが表示される。
【００５４】
ここで、利用者がディスプレイ上に表示された、例えば「えらんでプリント」のボタンを押下すると、ディスプレイ上には挿入された記録媒体内の全ての画像が表示され、利用者は所望の画像を選択する（Ｗ２）。
【００５５】
次に、選択された画像枚数に応じて料金が表示され、利用者は表示された料金を投入すると、例えば図１４に示す画面を表示し、印刷処理を開始する（Ｗ３）。したがって、この印刷開始によって利用者が選択した写真画像の印刷処理が開始され、アンケートフラグをオンにする（Ｗ４）。尚、このアンケートフラグは、アンケートが終了したかどうかを示すフラグであり、オンの時にはアンケート処理が終了していないことを示す。
【００５６】
次に、利用者が図１４に示す「アンケートする」のボタンが押下したか判定し（Ｗ５）、押下した場合（Ｗ５がＹＥＳ）、図１５に示すように、プリント中の画面を消去し、「アンケート実施中」を表示する。また、この時画面下には、「アンケートやめる」、「前に戻る」、「スキップ」のボタンがそれぞれ表示される。尚、「アンケートする」のボタンが押下されない場合、後述する判断（Ｗ１１）に進む。
【００５７】
ここで、「アンケートする」のボタンが押下された場合（Ｗ５がＹＥＳ）、アンケートフラグがオンであるか判断し（Ｗ６）、上記設定に基づいてオンであれば「アンケートやめる」のボタンが押下されたか判断する（Ｗ７）。そして、「アンケートやめる」のボタンが押下されない間（Ｗ７がＮＯ）、表示／操作部（ディスプレイ＆タッチパネル）２にアンケート実施中の表示を行い、アンケート項目テーブルから「アンケート項目」と「選択パラメータ」を取得し、アンケートを実行する（Ｗ８）。
【００５８】
図１６は上記アンケート実行処理のフローチャートである。先ず、図１７に示す「アンケート項目テーブル」を使用し、アンケート項目の順番を取得する（Ｗ８−１）。このアンケート項目の順番の取得は、画面上に表示しているポインタの位置によって取得し、例えば最初の質問の場合、“１”を示す。
【００５９】
次に、取得したポインタから「アンケート項目テーブル」の該当する「アンケート項目」、及び「選択パラメータ」をディスプレイ上に表示する（Ｗ８−２）。そして、パラメータが選択されたか判断し（Ｗ８−３）、パラメータが選択された場合（Ｗ８−３がＹＥＳ）、選択されたパラメータを印刷利用状況テーブルに設定する（Ｗ８−４）。図１８はこの場合の印刷利用状況テーブルの例を示す。
【００６０】
また、図１９（ａ）〜（ｃ）はアンケート実施中の画面表示の例を示す図であり、「アンケート項目テーブル」のポインタをインクリメントしながらアンケート調査を行う（Ｗ８−５）。尚、同図（ａ）はアンケート項目が「性別」の時の表示であり、同図（ｂ）はアンケート項目が「目的」の時の表示であり、同図（ｃ）はアンケート項目が「フレーム合成」の時の表示である。
【００６１】
その後、図１３に示す処理に戻り、全ての「アンケート項目」が終了したか判断し（Ｗ９）、終了していない場合には上記アンケート調査を継続し、終了した場合には「アンケートやめる」のボタンの表示を消去し、アンケートフラグをオフにする（Ｗ１０）。
【００６２】
次に、画像データ印刷部１４が行っている印刷処理が完了したか判断し（Ｗ１１）、終了していない場合には、印刷処理の終了を待つ。また、前述の「アンケートをやめる」のボタンが押下された場合にも（Ｗ７がＹＥＳ）、「アンケートする」のボタン表示を行い（Ｗ１３）、印刷処理の終了を待つ。
【００６３】
その後、印刷処理が終了すると（Ｗ１１がＹＥＳ）、必要に応じてレシートの印刷と釣り銭の返却を行い、本例の処理を終了する（Ｗ１２）。
以上のように、本例の写真印刷自動販売機では、印刷中にアンケートを実施するようにしたことにより、利用者の状況を把握することが可能となり、例えば利用者の行動パターンの分析等に利用することができる。
【００６４】
尚、上記例ではアンケートの質問を一問一答形式で行っていたが、複数の質問を表示してアンケート時間を短縮し、利用者の負担を軽減する構成としてもよい。また、アンケートの質問項目数を固定していたが、印刷時間によって、質問項目数を変えるよう構成してもよい。
（実施形態５）
次に、本発明の実施形態５について説明する。
【００６５】
本例は前述のアンケート実行処理が実施形態４における処理と異なる構成であり、写真印刷自動販売機の印刷利用状況解析機能の全体動作は、実施形態４と同じである。以下、具体的に説明する。
【００６６】
前述のように、メディア挿入口３に持参した記録媒体を挿入し、例えば「えらんでプリント」を選択し、料金投入を行って印刷処理を開始し（Ｗ３）、ディスプレイ上の「アンケートする」のボタンが押下すると、「アンケート実施中」の表示が行われ、アンケート処理が実行される（Ｗ８）。
【００６７】
図２０は本例の処理を説明するフローチャートであり、先ず「アンケート項目テーブル」を使用し、アンケート項目の順番を取得する（Ｗ８−１）。このアンケート項目の順番の取得は、画面上に表示しているポインタの位置によって取得し、例えば最初の質問の場合、“１”を示している。
【００６８】
次に、取得したポインタから「アンケート項目テーブル」の該当する「アンケート項目」、及び「選択パラメータ」をディスプレイ上に表示する（Ｗ８−２）。そして、パラメータが選択されたか判断し（Ｗ８−３）、パラメータが選択された場合（Ｗ８−３がＹＥＳ）、選択されたパラメータを印刷利用状況テーブルに設定する（Ｗ８−４）。
【００６９】
次に、サブ・アンケート使用フラグをチェックし、サブ・アンケート項目テーブルを使用中かどうか判断する（Ｗ８−６）。ここで、使用中であれば処理（Ｗ８−５）に進むが、使用中でなければ（Ｗ８−６がＮＯ）、選択されたパラメータを条件フラグに設定する（Ｗ８−７）。すなわち、図２１に示すようなサブ・アンケート条件フラグに対しても前述の「印刷利用状況テーブル」に設定した回答パラメータを設定する。尚、サブ・アンケート条件フラグは、「サブ・アンケート項目テーブル」を使用するかどうかの判定に用いる。
【００７０】
次に、図２２に示す「条件テーブル」内のイベントマスクビット列と比較し、一致するかどうか判断する（Ｗ８−８）。そして、一致する場合には（Ｗ８−８がＹＥＳ）、「サブ・アンケート項目テーブル」をロードし、アンケート項目番号を示すポインタを初期値の“１”に設定し、サブ・アンケート使用フラグをオンする（Ｗ８−９）。
【００７１】
例えば、利用者が性別：女、年代：１０代と回答すると、イベントマスクビット列（ＭａｓｋＷｏｍａｎ１０）と一致し、サブ・アンケート項目テーブルとして、図２３に示す合成プリントのアンケート項目がロードされる。また、本処理を実施した結果、図２４に示す印刷利用状況テーブルが生成される。
【００７２】
尚、その後の処理は前述の図１３に戻り、全ての「アンケート項目」が終了したか判断し（Ｗ９）、終了していない場合には上記アンケート調査を継続し、終了した場合には「アンケートやめる」のボタンの表示を消去し、アンケートフラグをオフにする（Ｗ１０）。そして、印刷処理が終了すると（Ｗ１１がＹＥＳ）、必要に応じてレシートの印刷と釣り銭の返却を行い、本例の処理を終了する（Ｗ１２）。
【００７３】
以上のように、本例の写真印刷自動販売機においても、印刷中にアンケートを実施するようにしたことにより、利用者の状況を把握することが可能となり、例えば利用者の行動パターンの分析をより詳細に行うことができる。
【００７４】
尚、図２５（ａ）で示す回答項目数カウンタと同図（ｂ）で示す料金割引表とを比較し、割引が適用されるのであれば、釣り銭に該当割引を適用し、レシートの印刷と釣り銭の返却を行う構成としてもよい。
（実施形態６）
次に、本発明の実施形態６について説明する。
【００７５】
本例は、画像ファイルに記録されている撮影時情報を使用し、ある期間に撮影された画像のみを画面に表示する構成としたものである。以下、具体的に説明する。
先ず、利用者は記録媒体をメディア挿入口３に挿入し、画像ファイルを読み出し、読み出した画像ファイルに記録されているＥｘｉｆ等の撮影時情報の中の日付情報をもとに、年月ごとに画像データを分ける。
【００７６】
次に、利用者は画像選択画面で印刷する画像を選択する際、撮影した年月のボタンを押すと、選んだ年月に撮影された画像のみが表示される。図２６（ａ）、（ｂ）は本例の選択画面であり、同図（ａ）はサムネイル表示された写真画像全てを選択する場合であり、「全て」のボタン２０が押下される。一方、同図（ｂ）は年月の選択を行う場合であり、年月の選択ボタン２１を指定して希望する年月の情報を入力する。
【００７７】
したがって、利用者は画像選択を行う際、煩雑な選択操作を行う必要がなく、年月の情報を入力するのみで印刷画像を選択することができる。尚、その後料金を投入し、画像データ印刷部１４によって印刷処理を行う手順は前述と同様である。
【００７８】
このように構成することにより、画像ファイルに記録されている撮影時情報の中の日付情報を使って、プリント画像選択画面で、以前撮影された画像のみを画面に表示することができ、利用者の画像選択を容易に行うことができる。
【００７９】
尚、図２７（ａ）、（ｂ）は本例の変形例を示す図である。この場合、記録媒体に書き込まれた画像ファイルを読み出し、読み出した画像ファイルに記録されているＥｘｉｆ等の撮影時情報の中の経度緯度情報をもとに、例えば写真印刷自動販売機内にある住所録データを使って都道府県別に画像データを区分けする。尚、経度緯度情報は、例えばＧＰＳ機能付きデジタルカメラで撮影することによって取得する。
【００８０】
利用者は、画像選択画面において印刷する画像を選ぼうとする時、同図（ｂ）に示す撮影した地域の都道府県のボタンを押下すると、選んだ都道府県で撮影された画像のみが表示される。その後、従来と同じように料金を投入すると、画像データが画像データ印刷部１４に送信され、印刷処理が行われる。尚、同図（ａ）は全ての撮影画像を選択する場合の選択例である。
【００８１】
このように構成することによっても、利用者による画像選択を容易にすることができる。
（実施形態７）
次に、本発明の実施形態７について説明する。
【００８２】
本例は証明用写真を写真印刷自動販売機を使用して印刷するものである。以下、具体的に説明する。
利用者は証明写真にしたい顔写真をデジタルカメラで撮影し、写真印刷自動販売機１に向かう。デジタルカメラの記録媒体には上記証明写真に使用したい顔写真が記録されている。図２８は、例えば記録媒体に記録された顔写真の例である。
【００８３】
利用者は上記顔写真が記録された記録媒体をメディア挿入口３に挿入し、画像ファイルを読み出す。そして、サムネイル表示された画像の中から証明写真を選択する。
次に、証明写真の種類を選択する。例えば、パスポート用、或いは証明写真を提出する際の指定されたサイズ選択を行う。また、印刷範囲の微調整を行い、例えば枠の縮小、移動等の調製を行う。そして、調整されたレイアウトをディスプレイに表示する。
【００８４】
図２９、及び図３０はその一例であり、上記表示を確認後、料金の投入を行う。尚、ここでのレイアウトは選択されたサイズで最大枚数になるよう自動配置される。
このように構成することにより、証明写真を写真印刷自動販売機１によって印刷することができ、安価に証明写真を取得することができる。
（実施形態８）
次に、本発明の実施形態８について説明する。
【００８５】
本例は画像データに入っている情報をもとに、Ｅｘｉｆのフォームが最新であるか確認し、古い場合には報知する機能を有する写真印刷自動販売機の構成である。以下、具体的に説明する。
【００８６】
利用者は写真印刷自動販売機１に向かい、記録媒体をメディア挿入口３に挿入し、画像ファイルを読み出す。そして、Ｅｘｉｆ情報からデジタルカメラの情報（ファームのバージョン）を取り出し、写真印刷自動販売機１に登録されている情報（最新ファームのバージョン）と照合する。
【００８７】
次に、上記比較結果から利用者のデジタルカメラのＥｘｉｆ情報が古い場合、アップデート情報を紹介する。例えば、印刷終了後にメッセージを表示し、最新ファームを導入することを勧める。
【００８８】
このように構成することにより、画像データを利用することで、利用者は写真印刷自動販売機１を操作することなくファームの状況がわかり、アップデートの必要性も知ることができる。
【００８９】
尚、ファームのアップデートのお知らせとしたが、メモリーカードに最新ファームプログラムを入れ、アップデート手順をプリントし、積極的にアップデートを勧める構成としてもよい。
【００９０】
また、本例はデジタルカメラに限らず、例えばカメラ付き携帯電話機やメモリーカードを挿入して写真画像を処理する装置であれば、当該装置に適用することができる。
（実施形態９）
次に、本発明の実施形態９について説明する。
【００９１】
本例は、ネットワークに接続された写真印刷自動販売機１を利用し、企業や店舗と提携してチケットやくじ、ギャンブル券の発券を行う写真印刷自動販売機を利用した情報端末システムを構築するものであり、写真印刷自動販売機１内には高品質な印刷装置が配設されている。以下、具体的に説明する。
【００９２】
図３１は本例を説明するシステム構成図である。同図において、街角あるいは店舗に設置された写真印刷自動販売機１は、インターネット等のネットワークに接続されている。また、提携企業や店舗の発券情報が内部の記憶装置に記憶されている。記憶装置に記憶された情報は、ネットワークを介して、常時更新可能の状態になっており、発券情報等は随時更新されるよう管理されている。
【００９３】
また、ネットワーク回線に接続されているので、写真印刷自動販売機１内の消耗品の残量等を管理者が遠隔地で知ることができる。例えば、代理店３０はネットワークを利用して予約、発券情報の管理、印刷用紙やインクリボン等の消耗品の管理、顧客（利用者）情報の管理を、データベースを利用して効率よく行うことができる。尚、本例においては、同図に示すように、宝くじ、スポーツくじ、ナンバーズ等の発券、乗車券、指定席券、コンサート、スポーツ観戦等のチケット類の発券等をネットワークに回線に接続された写真印刷自動販売機１に行わせることができる。
【００９４】
一方、料金の支払いについては、写真印刷自動販売機１に装備された課金手段、例えば現金、プリペイドカード、クレジットカード、デビットカード、携帯電話機等によって支払いを行うことができる。
【００９５】
以上のように、本例では街角あるいは店舗に設置された写真印刷自動販売機１の利用者が自分で必要なチケット、くじ、ギャンブル券を出力でき、利用者は取扱店に行かなくても容易に必要なチケット、くじ、ギャンブル券等を入手することができる。
【００９６】
また、写真印刷自動販売機１は２４時間利用することができ、更にチケット、くじ、ギャンブル券等を印刷物として出力できるので、消耗品の消費量も増加し、消耗品としての売り上げが増加する。
（実施形態１０）
次に、本発明の実施形態１０について説明する。
【００９７】
本例は、飲食店等の店舗の所在地や電話番号などの紹介情報をネットワークに接続された写真印刷自動販売機１によって知ることができる情報端末システムを構築するものであり、写真印刷自動販売機１内には高品質な印刷装置が配設されている。以下、具体的に説明する。
【００９８】
図３２は本例を説明するシステム構成図である。同図においても、写真印刷自動販売機１は街角あるいは店舗に設置され、インターネット等のネットワークに接続されている。また、ネットワーク回線に接続されているので、前述と同様、写真印刷自動販売機１内の消耗品の残量等を管理者が遠隔地で知ることができる。
【００９９】
本例は店舗の紹介情報や、店舗の地図、電話番号等の店舗情報を写真印刷自動販売機１を使用して印刷出力するものであり、他の構成は前述の実施形態９と同じである。したがって、料金の支払いについては、写真印刷自動販売機１に装備された課金手段、例えば現金、プリペイドカード、クレジットカード、デビットカード、携帯電話機等によって支払いを行う。
【０１００】
以上のように、本例では街角あるいは店舗に設置された写真印刷自動販売機１の利用者が店舗情報をプリントアウトして取得することができ、より便利な写真印刷自動販売機１の利用を行うことができる。また、利用者は自由な時間に店舗情報を利用することができ、例えば「どんな店舗か」、「店舗の場所は」、「電話番号は」等の紹介情報を一括して、何時でもすぐに入手でき、利用意欲が増大し、利用者の増加、売り上げの向上に繋がる。
（実施形態１１）
次に、本発明の実施形態１１について説明する。
【０１０１】
本例は印刷時間を有効活用する為、必要に応じて印刷物取出口７を施錠し、印刷終了後印刷物の取りだしを行う写真印刷自動販売機である。以下、具体的に説明する。
図３３は本例を説明するフローチャートである。先ず、利用者は前述のように写真印刷自動販売機１に近づき、画像データが記憶された記録媒体を写真印刷自動販売機１に読み込ませ、印刷方式の選択を行う（ステップ（以下、Ｖで示す）１）。この印刷方法の選択は、例えば読み込まれた画像全てを印刷するか、又は何枚かの画像を選択するか、更にはある画像を編集して印刷するか等の選択を行う。
【０１０２】
次に、印刷を希望する画像を選択する（Ｖ２）。この時、印刷を希望する画像を確認し、問題なければ、印刷開始へ進む（Ｖ３）。尚、もし画像を選び忘れ、又は余計な画像を選択した場合、一つ前の画像選択画面でもう一度選択を行う。
【０１０３】
印刷開始は金銭投入を行い、印刷開始ボタンを押すことにより開始される（Ｖ４、Ｖ５）。そして、印刷が開始されると、印刷物取出口７を施錠する（Ｖ６）。そして、印刷物が全て印刷し終わってから、施錠された印刷物取出口７の開錠を行う（Ｖ７、Ｖ８）。
【０１０４】
以上のように、本例によれば、写真印刷自動販売機１の印刷物取出口７を施錠することによって、印刷処理が終了するまでの時間を有効利用することができる。
また、本例は印刷開始時に印刷物取出口７に鍵を自動的に掛け、印刷終了時に自動的に開錠する構成であり、暗証番号やバーコード等、複雑な鍵解除の方法を別に用意する必要もない。
【０１０５】
尚、図３４は本例の変形例を示す図であり、印刷開始後、施錠の確認を行い（Ｖ９）、施錠を行わない場合には印刷処理を行い、印刷終了を待つ（Ｖ１０）。一方、施錠を行う場合には上記と同様、施錠後印刷物が全て印刷された後、施錠された印刷物取出口７の開錠を行う（Ｖ１１〜Ｖ１３）。
【０１０６】
以上のように本例によれば、印刷時間内に店舗内でショッピングを行い、興味を引かれた商品の購入等が可能となり、印刷時間を有効利用することができる。
（実施形態１２）
次に、本発明の実施形態１２について説明する。
【０１０７】
本例も印刷時間を有効活用する為、必要に応じて印刷物取出口７を施錠し、印刷終了後印刷物の取りだしを行う写真印刷自動販売機であり、本例においては暗証番号を用いる構成である。以下、具体的に説明する。
【０１０８】
図３５は本例を説明するフローチャートである。本例においても、先ず利用者は写真印刷自動販売機１に近づき、画像データが記憶された記録媒体を写真印刷自動販売機１に読み込ませ、印刷方式の選択を行う（Ｖ１）。そして、印刷を希望する画像を選択し（Ｖ２）、印刷画像を確認し（Ｖ３）、金銭投入を行って印刷処理を開始する（Ｖ４、Ｖ５）。
【０１０９】
次に、印刷物取出口７を施錠するか判断する（Ｖ１４）。ここで、施錠しない場合には前述の変形例と同様、印刷処理が終了した後印刷物取出口７から印刷物を取り出す（Ｖ１５）。一方、印刷物取出口７を施錠する場合には、暗証番号を提示し印刷物取出口７を施錠する（Ｖ１６、Ｖ１７）。
【０１１０】
図３６は暗証番号の表示例である。同図に示すＡは、通常の暗証番号表示画面例である。この暗証番号が提示された後、同図に示すＢの暗証番号入力画面が提示され、暗証番号を入力する。尚、印刷中、例えば店舗内を散策してもらうために施錠するのであり、いきなり本例のようなランダムな４桁の番号を提示されても覚えておくことは困難である。
【０１１１】
そこで、例えば同図に示すＣのような、自らの覚え易い番号を暗証番号に登録し、それにより解除を行う。すなわち、同図に示すＢのような数字配列では、登録時に暗証番号が読み取られてしまう可能性があり、同図に示すＣの数字配列のように構成する。
【０１１２】
但し、数字配列をランダムにしたところで、暗証番号入力画面で同一画面が表示されるならば、最初に押した位置を覚えられると暗証番号の入力が可能になる。そこで、同図に示すＤのように、暗証番号入力画面を同図のＣとは異なる並びにする。
【０１１３】
一方、開錠において暗証番号の入力回数を計数する（Ｖ１９）。そして、開錠が成功すると印刷終了を待って印刷物を取り出す（Ｖ２０、Ｖ２１）。また、開錠処理が行われない場合印刷処理が終了した後、印刷物取出口７を自動で開錠する（Ｖ２２、Ｖ２３）。
【０１１４】
以上のように、本例は暗証番号を用意し、その要求に応じて暗証番号を利用者に選択させ、印刷物取出口７の開閉を行う構成である。特に、暗証番号設定時と暗証番号入力時の数字の位置を異ならせることによって位置情報からの暗証番号の読み取りを防止した。
【０１１５】
また、簡単な数値を設定した場合、悪意ある人物の複数回にわたる試行により暗証番号が偶然入力されてしまう危険もあり、誤入力を所定回以上は認めない構成とした。
【図面の簡単な説明】
【０１１６】
【図１】写真印刷自動販売機の正面構成を示す図である。
【図２】写真印刷自動販売機の回路ブロック図である。
【図３】実施形態１の処理を説明するフローチャートである。
【図４】ＲＡＭに格納した画像データ例を示す図である。
【図５】データサイズに従った分割画像を説明する図である。
【図６】（ａ）〜（ｆ）は、実施形態１の印刷結果を示す図である。
【図７】実施形態２の処理を説明するフローチャートである。
【図８】ＲＡＭに格納した画像データ例を示す図である。
【図９】（ａ）〜（ｆ）は、実施形態２の印刷結果を示す図である。
【図１０】実施形態３の処理を説明するフローチャートである。
【図１１】ＲＡＭに格納した画像データ例を示す図である。
【図１２】（ａ）〜（ｆ）は、実施形態３の印刷結果を示す図である。
【図１３】実施形態３の処理動作を説明するフローチャートである。
【図１４】印刷中の画面を示す図である。
【図１５】アンケート実施中の画面を示す図である。
【図１６】アンケート実行処理のフローチャートである。
【図１７】アンケート項目テーブルの例を示す図である。
【図１８】アンケート印刷利用状況テーブルの例を示す図である。
【図１９】（ａ）〜（ｃ）は、アンケート実施中の画面表示の例を示す図である。
【図２０】実施形態５の処理動作を説明するフローチャートである。
【図２１】サブ・アンケート条件フラグの例を示す図である。
【図２２】サブ・アンケート条件テーブルの例を示す図である。
【図２３】合成プリントのアンケート項目がロードされる例を示す図である。
【図２４】印刷利用状況テーブルが生成される例を示す図である。
【図２５】（ａ）は、回答項目数カウンタを示す図であり、（ｂ）は、料金割引表を示す図である。
【図２６】（ａ）は、サムネイル表示された写真画像全てを選択する場合を示す図であり、（ｂ）は、年月の選択を行う場合を示す図である。
【図２７】（ａ）は、サムネイル表示された写真画像全てを選択する場合を示す図であり、（ｂ）は、撮影した地域の都道府県を選択する場合を示す図である。
【図２８】記録媒体に記録された顔写真の例を示す図である。
【図２９】調整処理された顔写真の例を示す図である。
【図３０】調整処理された顔写真の例を示す図である。
【図３１】実施形態９を説明するシステム構成図である。
【図３２】実施形態１０を説明するシステム構成図である。
【図３３】実施形態１１の処理を説明するフローチャートである。
【図３４】実施形態１１の変形例を説明するフローチャートである。
【図３５】実施形態１２の処理を説明するフローチャートである。
【図３６】暗証番号の表示例を示す図である。
【符号の説明】
【０１１７】
１・・・写真印刷自動販売機
２・・・表示／操作部（ディスプレイ＆タッチパネル）
３・・・メディア挿入口
４・・・料金挿入口
５・・・返却口
６・・・レシート受取口
７・・・印刷物取出口
１０・・・ＣＰＵ
１２・・・ＲＡＭ
１３・・・画像データ入力部
１４・・・画像データ印刷部
２０・・・「全て」のボタン
３０・・・代理店
【図１】
2006035548.tif 000003
【図２】
2006035548.tif 000004
【図３】
2006035548.tif 000005
【図４】
2006035548.tif 000006
【図５】
2006035548.tif 000007
【図６】
2006035548.tif 000008
【図７】
2006035548.tif 000009
【図８】
2006035548.tif 000010
【図９】
2006035548.tif 000011
【図１０】
2006035548.tif 000012
【図１１】
2006035548.tif 000013
【図１２】
2006035548.tif 000014
【図１３】
2006035548.tif 000015
【図１６】
2006035548.tif 000016
【図１７】
2006035548.tif 000017
【図１８】
2006035548.tif 000018
【図２０】
2006035548.tif 000019
【図２１】
2006035548.tif 000020
【図２２】
2006035548.tif 000021
【図２３】
2006035548.tif 000022
【図２４】
2006035548.tif 000023
【図２５】
2006035548.tif 000024
【図２６】
2006035548.tif 000025
【図２７】
2006035548.tif 000026
【図２８】
2006035548.tif 000027
【図２９】
2006035548.tif 000028
【図３０】
2006035548.tif 000029
【図３１】
2006035548.tif 000030
【図３２】
2006035548.tif 000031
【図３３】
2006035548.tif 000032
【図３４】
2006035548.tif 000033
【図３５】
2006035548.tif 000034
【図３６】
2006035548.tif 000035
【図１４】
2006035548.tif 000036
【図１５】
2006035548.tif 000037
【図１９】
2006035548.tif 000038